(57)【特許請求の範囲】
【請求項１】
地下のマンホール間に、地下敷設物挿入用として並列して設けられた複数の金属管により構成される管路設備において、前記複数の金属管の端部にそれぞれ止水装置を介して可撓性の中継ホースを接続することでその複数の金属管を順次繋ぎ合わせてエンドレスの循環水路を形成し、この循環水路内に水を収容して流通させるとともに、循環水路の途中に活性水生成装置を設け、この活性水生成装置により循環水路内を流通する水を活性化させ、この活性化させた水を循環水路に順次循環流通させて前記金属管を防錆することを特徴とする管路設備の金属管防錆方法。
【請求項２】
活性水生成装置は、循環水路を流通する水を隔てて互いに対向するように配置された永久磁石の一対の磁極と、異種の導電性材料からなる一対の電極とを備え、前記一対の磁極により循環水路内の領域に自然磁場を生じさせ、前記一対の電極により自然電場を生じさせて循環水路内を流通する水を活性化させることを特徴とする請求項１に記載の管路設備の金属管防錆方法。
【発明の詳細な説明】
【０００１】
【発明の属する技術分野】
この発明は、地下、地上、空中、或いは構造物内に設置される管路設備における金属管の防錆方法に関する。
【０００２】
【従来の技術】
例えば地下に設置される管路設備としての地下管路においては、マンホール間の地下に複数の金属管を並列して埋設し、その各金属管で各マンホール間を繋ぎ、その各金属管内に各マンホール間に跨がるように電力ケーブルや通信ケーブル等の地下敷設物を挿入している。
【０００３】
このような管路設備における金属管には錆の発生の問題があり、したがってその各金属管に対する防錆処理が必要となる。
【０００４】
図５には、その防錆処理の従来の方法を示してあり、ａがマンホール、ｂがそのマンホール間に埋設された金属管で、これら金属管ｂに対する防錆処理に当たっては、まず金属管ｂ内に挿入されている地下敷設物を取り除き、次に例えば先端部にワイヤブラシやギアハンマー、或いは砥石等の除錆具ｃ′を備える電動ケーブルｃを地上の駆動機器ｄからマンホールａ内に引き込んで金属管ｂ内に挿入し、その先端部の除錆具ｃ′を駆動機器ｄの動力で回転させて金属管ｂの内面の錆を機械的に除去し、こののち電動ケーブルｃに替えて金属管ｂ内に塗装用の噴射ノズル（図示せず）を挿入し、この噴射ノズルから防錆塗料を噴射して塗布する方法を採用している。
【０００５】
【発明が解決しようとする課題】
しかしながら、このような機械的な手段による防錆の作業においては、その都度、マンホールａ内に作業員が入り込み、金属管ｂ内からいちいち地下敷設物を抜き取り、この状態で金属管ｂ内に電動ケーブルｃや噴射ノズルを挿入しなければならない。
【０００６】
金属管ｂが数メートル程度の長さであれば、地下敷設物の抜き取り、電動ケーブルｃや噴射ノズルの挿入が可能であるが、実際には金属管ｂは数十メートルにも及ぶ長尺の管体である場合が多く、このような場合には地下敷設物の抜き取り、電動ケーブルｃや噴射ノズルの挿入がほとんど不可能となり、しかも並列して配置した複数本の金属管ｂの一本ずつに対してその作業を行なわなければならず、したがって作業員も数人から数十人が必要で施工の能率が悪くなり、また騒音の問題も生じ、このため実際に施工しようとすれば極めて莫大な費用がかかり、現実的には実施が困難となっているのが実情である。
【０００７】
この発明はこのような点に着目してなされたもので、その目的とするところは、管路設備を構成する複数の金属管に対する防錆の施工を能率よくかつ安い費用で、また騒音の問題も生じることなく実施することができる管路設備の金属管防錆方法を提供することある。
【０００８】
【課題を解決するための手段】
この発明はこのような目的を達成するために、地下のマンホール間に、地下敷設物挿入用として並列して設けられた複数の金属管により構成される管路設備において、前記複数の金属管の端部にそれぞれ止水装置を介して可撓性の中継ホースを接続することでその複数の金属管を順次繋ぎ合わせてエンドレスの循環水路を形成し、この循環水路内に水を収容して流通させるとともに、循環水路の途中に活性水生成装置を設け、この活性水生成装置により循環水路内を流通する水を活性化させ、この活性化させた水を循環水路に順次循環流通させて前記金属管を防錆するようにしたものである。
【００１０】
また活性水生成装置としては、循環水路を流通する水を隔てて互いに対向するように永久磁石の一対の磁極と、異種の導電性材料からなる一対の電極を設け、その一対の磁極により循環水路内の領域に自然磁場を生じさせ、一対の電極により自然電場を生じさせて循環水路内を流通する水を活性化させる構成を採用することが可能である。
【００１１】
【発明の実施の形態】
以下、この発明の一実施形態について図１ないし図４を参照して説明する。
【００１２】
この実施形態は、地下のマンホール間に並列して地下敷設物挿入用の複数の金属管を設けた地下管路を対象としている。
【００１３】
図１に示すように、地下に第１のマンホール１、第２のマンホール２、第３のマンホール３が形成され、これらマンホール１、２、３間の地下にそれぞれ複数本の金属管４，５が並列して埋設され、これら金属管４，５により第１、第２、第３のマンホール１，２，３を繋ぐ地下管路が構成されている。
【００１４】
各金属管４，５は鋳物製あるいは鋼製であって、これら金属管４，５内に電力ケーブルや通信ケーブル等の地下敷設物６が各マンホール１，２，３間に跨がるように挿入されている。
【００１５】
金属管４，５は例えば上下に複数段に並列し、第１のマンホール１と第２のマンホール２との間に設けられた各段の金属管４の一端側の端部と、第２のマンホール２と第３のマンホール３との間に設けられた各段の金属管５の一端側の端部との相互が、その各段においてそれぞれ第２のマンホール２内に設けられた可撓性の中継ホース７により接続されている。
【００１６】
また、第２のマンホール２と第３のマンホール３との間に配置した第１段目の金属管５と第２段目の金属管５とのそれぞれの他端側の端部の相互、および第３段目の金属管５と第４段目の金属管５とのそれぞれの他端側の端部の相互がそれぞれ第３のマンホール３内に設けられた可撓製の中継ホース７により接続されている。
【００１７】
さらに、第１のマンホール１と第２のマンホール２との間に配置した第２段目の金属管４と第３段目の金属管４とのそれぞれの他端側の端部の相互、および第１段目の金属管４と第４段目の金属管４とのそれぞれの他端側の端部の相互がそれぞれ第１のマンホール１内に設けられた可撓製の中継ホース７により接続されている。
【００１８】
このように各金属管４，５が順次中継パイプ７により繋ぎ合わされることにより、蛇行状に屈曲して連続するエンドレスの循環水路８が構成されている。
【００１９】
中継ホース７は図２および図３に示す止水装置１０を介して金属管４，５に接続されている。この止水装置１０は互いに対向した一対の端板１１，１２と、これら端板１１，１２間に介装されたゴム等の弾性部材１３と、これら端板１１，１２および弾性部材１３を貫通して一方の端板１１から他方の端板１２に亘って挿入された複数本のボルト１４と、これらボルト１４の突出端部に螺着されたナット１５とで構成されている。
【００２０】
そしてこの止水装置１０には、端板１１、弾性部材１３、端板１２を貫通して一方の端板１１の外面から他方の端板１２の外面に抜ける複数の通孔１６，１７，１８が形成されている。
【００２１】
この止水装置１０を用いて中継ホース７を金属管４に取り付けるときの手順を説明すると、まず止水装置１０の一つの通孔１６に中継ホース７の端部を液密的に接続し、また金属管４内に収容された埋設敷設物６を止水装置１０の残りの通孔１７，１８内に液密的に挿入し、この状態で止水装置１０を金属管４の端部の内側に挿入する。
【００２２】
次に、各ボルト１４に取り付けられた各ナット１５を締め付ける。この締め付けにより一対の端板１１，１２が互いに接近する方向に移動して弾性部材１３が圧縮され、この圧縮で弾性部材１３の外周部が外側に膨出して金属管４の内周面に密着し、この密着で金属管４の開口部が液密的に封止される。
【００２３】
このようにして各金属管４，５の端部に中継ホース７を取り付け、その中継ホース７により金属管４，５を順次直列に繋ぎ合わせてエンドレスの循環水路８を構成する。
【００２４】
このように構成された循環水路８内には水が収容され、またこの循環水路８の途中に図１に示すように活性水生成装置２０が設けられている。この活性水生成装置２０は、循環水路８内の水を活性化させる活性化機構部２１と、その活性化させた水を循環させる循環ポンプ２２とを備えている。
【００２５】
活性化機構部２１は、図４に示すように、循環水路８内を流れる水を隔てて互いに対向するように水平方向に配置された永久磁石の一対の磁極２３，２４と、同じく垂直方向に配置された一対の電極２５，２６とで構成されている。そして互いに対向した永久磁石の一方の磁極２３はＳ極、他方の磁極２４はＮ極となっており、また互いに対向した一方の電極２５と他方の電極２６は異種の導電性材料となっている。例えば一方の電極２５はアルミニウムで、他方の電極２６は炭素となっている。
【００２６】
このような構成により、循環水路８の途中の一部の領域にＳ極の磁極２３とＮ極の磁極２４とに基づいて永久磁場が生じるとともに、循環水路８を流れる水を間に挟んで互いに対向した異種の電極２５，２６に基づいて自然電場が生じる。
【００２７】
そして循環ポンプ８の作動で循環水路８内を循環して流れる水が永久磁場および自然電場の領域内を通過するときに、その水が磁化されて物理的に活性化され、この活性化された水が循環水路８を構成する各金属管４，５内を順次流通する。
【００２８】
そしてこのような活性化された水が金属管４，５内を流通することにより、金属管４，５の内面の錆の成分がマグネタイト（Ｆｅ３Ｏ４）化し、安定した物質の被覆層となり、これにより金属管４，５の防錆が図られる。
【００２９】
地下管路を構成する多数の金属管４，５は一連に繋がれ、これら金属管４，５内を活性化された水が順次流通するから、各金属管４，５に対する防錆が能率よく一括して行なわれる。そして、金属管４，５内に挿入されている地下埋設物６をいちいち抜き取ったり、機械的な錆取りや塗装等の人手による作業を一切要することなく無人による管理で能率よく低コストで防錆処理を施すことができ、また騒音が発生するようなこともない利点がある。
【００３０】
なお、この防錆システムは常時稼働させておくことが好ましいが、定期的に或いは必要に応じて稼働させる場合であってもよい。
【００３１】
また、前記実施形態においては、地下のマンホール間に並列して複数の金属管を設けた地下の管路設備を対象としたが、地下の管路設備に限らず、地上や空中、或いは構造物内に設置される管路設備においても同様に実施することが可能である。
【００３２】
【発明の効果】
以上説明したようにこの発明によれば、人手を何ら要することなく、能率よくかつ低コストで、また騒音の問題も生じることなく管路設備の金属管に対する防錆を図ることができる。
【図面の簡単な説明】
【図１】この発明の一実施形態を示す管路設備の構成図。
【図２】その管路設備に用いられる止水装置の斜視図。
【図３】同じく止水装置の側面図。
【図４】その管路設備の循環水路を流れる水を活性化させる活性化機構部の構成図。
【図５】従来の防錆方法を示す説明図。
【符号の説明】
１，２，３…マンホール
４，５…金属管
７…中継ホース
８…循環水路
２０活水生成装置
２１…活性化機構部
２３，２４…磁極
２５，２６…電極
【図１】
0004355420.tif 000002
【図２】
0004355420.tif 000003
【図３】
0004355420.tif 000004
【図４】
0004355420.tif 000005
【図５】
0004355420.tif 000006